(57)【要約】【課題】医療機関において発行された処方箋の内容を、患者が薬局に持参するだけで、面倒な入力手段を介することなくそのまま薬局側のコンピュータに入力することが可能であることはいうまでもなく、特に、処方箋を薬局に持参する患者が視認することで不安を生じることがなく、他人によるプライバシーの侵害を防止する。【解決手段】医療機関１に設置され、入力装置、モニタ、印刷装置を有する医療側コンピュータと、調剤薬局２に設置され、入力装置、モニタ、印刷装置を有する薬局側コンピュータとからなり、医療側コンピュータの入力装置を用いて処方箋情報を入力すると、少なくとも処方箋情報と同じ内容を示す付加データ５が処方箋用紙３に印刷表示された画像中４に視認不可能な状態で重畳して印刷され、調剤薬局２で、リーダを用いて前記処方箋用紙３の前記付加データ５を読み取る。【選択図】        図２
2004199481.tif 000002
【特許請求の範囲】
【請求項１】
医療機関に設置され、入力装置、モニタ、印刷装置を有する医療側コンピュータと、調剤薬局に設置され、入力装置、モニタ、印刷装置を有する薬局側コンピュータとからなり、前記医療側コンピュータの前記入力装置を用いて処方箋情報を入力すると、少なくとも処方箋情報と同じ内容を示す付加データが処方箋用紙に印刷表示された画像中に視認不可能な状態で重畳して印刷され、調剤薬局で、リーダを用いて前記処方箋用紙の前記付加データを読み取ることによって、前記薬局側コンピュータに前記処方箋情報を取り込むことを特徴とする処方箋管理システム。
【請求項２】
前記付加データが処方箋用紙に印刷表示された画像中にイエローのインクで正負の振幅を持つパターンを重畳して印刷される請求項１記載の処方箋管理システム。
【請求項３】
前記付加データが処方箋用紙に印刷表示された画像中に２次元コードを画像に重畳して印刷される請求項１記載の処方箋管理システム。
【請求項４】
前記付加データが処方箋用紙に印刷表示されたデジタル画像の色成分における濃度と異なる濃度値により重畳して印刷される請求項１記載の処方箋管理システム。
【請求項５】
前記付加データが処方箋用紙に印刷表示されたデジタル画像の色成分における濃度値に応じて決定されたパターンと異なるパターンで重畳して印刷される請求項４記載の処方箋管理システム。
【発明の詳細な説明】
【０００１】
【発明の属する技術分野】
本発明は、医療機関で医師が作成する処方箋に記載されている処方箋情報を、調剤薬局に設置されたコンピュータに入力して管理等の処理をするための処方箋管理システムに関するものである。
【０００２】
【従来の技術】
病院や診療所等の医療機関で診察を受けた患者は、医師によって薬剤を処方され、その処方箋に基づいて、院内または院外の調剤薬局で薬剤が与えられるが、近年では院外の調剤薬局で投薬される場合が多い。
【０００３】
従来より、多くの医療機関では、医師が手書きで作成した処方箋の内容を、その医療機関の会計部門でレセプトコンピュータに入力して、処方箋情報を管理していた。そして、保険調剤薬局においても、投薬による保険の請求資料を作成するために、処方箋情報をコンピュータへ入力して患者毎の処方箋情報を管理する等の処理をする必要があった。
【０００４】
従って、従来は、医療機関の会計部門で、医師が作成した処方箋情報をコンピュータに手作業で入力しなければならず、面倒であるとともに、誤入力を防ぐための確認作業に手間がかかっていた。
【０００５】
更に、医療機関で作成された処方箋情報を、調剤薬局で再度入力して、保険請求のための患者毎の保険証情報や処方箋情報を管理することは、調剤薬局において極めて面倒な業務となっていた。
【０００６】
また、近年では、医師が診察時に診療情報や処方箋情報をコンピュータに入力することによって、その医療機関内において、各部門で情報を共有することができるようにされる場合があるが、この場合でも、院外の調剤薬局では、医療機関から送られてきた処方箋用紙に記載された内容を別途入力する必要があった。
【０００７】
そこで、例えば特開２００２‐１３２９３８号公報に、二次元コードを用いた処方箋管理システムが提案されている。
【０００８】
この二次元コードを用いた処方箋管理システムは、医療機関で処方箋作成時に処方箋用紙に印刷された二次元コードを、調剤薬局で二次元コードリーダを用いて読み取るだけで、医療機関で発行された処方箋情報を調剤薬局のコンピュータに迅速且つ正確に入力することができる。しかも、二次元コードは漢字やかな等を含む多くの文字情報を小さいスペースで表現することができるので、患者の氏名や病歴、薬歴等の個人情報や処方箋には記載していない、つまり、患者には直接見せたくない薬剤情報なども二次元コードによって表して、調剤薬局へ送ることができる。薬局側コンピュータがレセプト処理用のソフトウェアの作動が可能で、前記二次元コードリーダを用いて前記処方箋用紙の前記二次元コードを読み取ることによって、前記薬局側コンピュータに取り込んだ前記処方箋情報を元にレセプト処理することなどが可能であるなどの利点を有している。
【０００９】
【発明が解決しようとする課題】
ところが、処方箋に印刷された二次元コードは、患者が視覚により確認できるものであるばかりか近頃ではその普及から多くの人がその存在を知っている。そのため、二次元コードが印刷されていると如何なる情報が入力されているかが知りたくなり、不安に陥ることがあり、特に精神疾患の患者にあっては不安が病状にも影響することになる。
【００１０】
また、近頃は、普及の著しい携帯電話などにも二次元コードリーダ機能が付設されており、誰でもが入力情報を読みとることが可能であり、特に患者のプライバシーの面からも不適切である。加えて、処方箋自体も二次元コードが印刷されることにより美観的にも好ましくない。
【００１１】
本発明は斯る実情に鑑みてなされたものであり、医療機関において発行された処方箋の内容を、患者が薬局に持参するだけで、面倒な入力手段を介することなくそのまま薬局側のコンピュータに入力することが可能であることはいうまでもなく、特に、処方箋を薬局に持参する患者が視覚により入力痕を確認することができないので、不安を生じることがなく、また、他人によってプライバシーを侵害される心配もない処方箋管理システムを提供するものである。
【００１２】
【課題を解決するための手段】
前記課題を解決するため、本発明である処方箋管理システムは、医療機関に設置され、入力装置、モニタ、印刷装置を有する医療側コンピュータと、調剤薬局に設置され、入力装置、モニタ、印刷装置を有する薬局側コンピュータとからなり、前記医療側コンピュータの前記入力装置を用いて処方箋情報を入力すると、少なくとも処方箋情報と同じ内容を示す付加データが処方箋用紙に印刷した画像中に視認不可能な状態で重畳して印刷され、前記調剤薬局でリーダを用いて前記処方箋用紙の前記付加データを読み取ることによって、前記薬局側コンピュータに前記処方箋情報を取り込むことを特徴とする。
【００１３】
また、本発明において、少なくとも前記処方箋情報と同じ内容を示す付加データが処方箋用紙に印刷表示された画像中にイエローのインクで正負の振幅を持つパターンを重畳して印刷し、或いは、前記処方箋情報と同じ内容を示す付加データが処方箋用紙に印刷表示された画像中に２次元コードを画像に重畳して印刷し、更に、前記処方箋情報と同じ内容を示すデジタル付加データが処方箋用紙に印刷表示されたデジタル画像の色成分における濃度と異なる濃度値により重畳して印刷し、加えて、前記付加デジタルデータが処方箋用紙に印刷表示されたデジタル画像の色成分における濃度値に応じて決定されたパターンと異なるパターンで重畳して印刷する場手段により確実に実施することができる。
【００１４】
【発明の実施の形態】
次に、本発明の実施の形態を図面に基づいて説明する。
【００１５】
図１は、本発明である処方箋管理システムにおけるハードウェア構成の一例を示すものである。
【００１６】
医療機関１の各診察室には、モニタ１１およびキーボードやマウス等の入力装置１２を有する医療用コンピュータ１０が設置される。
【００１７】
そして、この医療側コンピュータ１０は、処方箋用紙３に通常の文字で処方箋情報が印刷可能であるとともに少なくとも前記処方箋情報を画像処理装置（図示せず）により付加データとして処方箋用紙３に予め印刷された或いは同時またはその後に印刷表示された画像中視認不可能な状態で重畳して印刷可能な印刷装置１３が接続されている。
【００１８】
尚、本実施の形態では、印刷装置１３は診療科毎或いは診察室毎に設置され複数の医療側コンピュータ１０に接続されることにより、診療科毎或いは診察室毎に処方箋を発行することができる。
【００１９】
一方、調剤薬局２には、モニタ２１およびキーボードやマウス等の入力装置２２を有し、印刷装置２３およびスキャナからなるリーダ２４に接続された薬局側コンピュータ２０が設置されており、薬局側コンピュータ２０では、処方箋３に印刷されている付加データをリーダ２４で読み取って画像処理装置（図示せず）により通常の文字データに変換して記憶できるようにされているとともに、必要であればレセプト処理用のソフトウェアの作動が可能で、且つ薬剤の効能、副作用、注意事項などからなる薬剤情報が記憶されている。
【００２０】
次に、図２に従って、本発明のシステムの利用方法について説明する。
【００２１】
医師は、患者に対して診断を下し、薬剤を処方する際、診察室の医療側コンピュータ１０の入力装置１２によって、処方箋情報を入力する。入力手段は、キーボードによって薬剤名や識別コードを入力する方法や、例えばマウス等を用いて、薬剤一覧の中から選択するなどの簡単な方法によって行われる。
【００２２】
そして、医師が処方箋情報を入力すると、医療側コンピュータ１０によって変換されて印刷装置１３によって、通常の文字によって表示された処方箋情報が、処方箋用紙３に印刷される。
【００２３】
同時に、医療側コンピュータ１０に設けられた画像処理装置により変換された付加データ５として処方箋用紙３に印刷表示された画像４中に視認不可能な状態で重畳してて印刷される。
【００２４】
この画像４は本実施の形態においては、医療機関１である病院名の表示であるが、これに限らず例えば医療機関１のマーク、印章、イラスト、写真、文字など各種のものが考えられる。また、この画像４は前記処方箋情報を印刷装置１３により処方箋用紙３に印刷するときに同時に印刷してもよく、また、予め画像４を印刷した処方箋用紙３を用いてもよい。
【００２５】
ここで、処方箋用紙３に印刷表示された画像４中に前記付加データ５を視認不可能な状態で重畳して印刷する手段として、例えば、特開平６−１１３１０７号に開示されているような処方箋用紙３に印刷表示された画像４中にイエローのインクで正負の振幅を持つパターンを重畳して印刷する手段がある。
【００２６】
また、特開２０００−１６５６４０号公報に提示されているように、処方箋用紙３に印刷表示された画像４中に前記付加データを視認不可能な状態で重畳して印刷する他の手段として、前記処方箋情報と同じ内容を示す不可視の付加データが処方箋用紙に印刷表示された画像中に２次元コードを画像に重畳して印刷する手段もあり、この手段では、付加データの各ビットを微少な傾斜エッジのパターンに変換し、その傾斜エッジパターンデータを画像データ４に加算重畳することにより埋め込むものであり、特に、この傾斜エッジの埋め込みに際しては、視覚的に目立ちにくいイエローの成分のみに埋め込み、各パターンを間隔を開けて粗く配置することで、印刷される画像の画質劣化をお支えることができ、且つその画像をスキャナ２４で読み取った際に、付加データの検出を容易にすることができるが、殊に、パターンとして斜線エッジに限らず、斜めに配置したドットの集合で構成したパターン、微少な縦線、横線パターンなどなど紙に印刷された画像４上において見た目には目立たず、且つ検出し易いような他のパターンを用いることができる。
【００２７】
更に、特開２００１−１２７９８３号公報に提示されているように、前記処方箋情報と同じ内容を示す不可視のデジタル付加データが処方箋用紙に印刷表示されたデジタル画像の色成分における濃度と異なる濃度値により重畳して印刷し、加えて、前記付加デジタルデータが処方箋用紙に印刷表示されたデジタル画像の色成分における濃度値に応じて決定されたパターンと異なるパターンで重畳して印刷することもできる。
【００２８】
尚、医療機関１では、診療および処方を適切に行うため、患者の初診時に、住所、氏名、年齢、連絡先等の個人基本情報に加えて、過去から現在に至る主な病歴や、薬剤または食品等に対するアレルギーの有無、更に、現在他の薬剤を使用しているかどうか等の情報からなる個人情報に関する問診を行う。更に、その個人情報は、投薬が患者に対して適切に行われることを確認するために、調剤薬局２においても管理する必要がある。
【００２９】
そこで、本発明において、前記付加データとして処方箋情報とともに、それらの個人情報を含ませることにより、従来のように、患者が初めての調剤薬局２を訪れる度に、医療機関１で申請した内容と同様の薬歴や病歴、体質などに関する個人情報を申請しなくても、調剤薬局２においてリーダ２４を用いて、処方箋用紙３に印刷された付加データに含まれる個人情報を読み込めば、それらの情報を知ることができる。
【００３０】
しかも、医療機関１で付加データとして入力された患者毎の個人情報および処方箋情報を、迅速且つ正確に読み取って、薬局側コンピュータ２０に取り込めるので、そのままデータとして保管し、顧客管理をしたり、保険請求用書類の作成等のレセプト処理に利用することができる。
【００３１】
また、薬局側コンピュータ２０に記憶されている薬剤の効能や副作用、禁忌等の薬剤情報を元に、患者の薬歴等の個人情報を参照しながら、処方された薬剤が当該患者に対して適切に処方されているかを確認することもできる。更に、薬剤師は、処方された薬剤に関する薬剤情報を入力装置２２で選択し、印刷装置２３によって印刷して、患者に薬剤の説明を行うとともに、薬剤情報を提供するなどのサービスを行うこともできる。
【００３２】
尚、上記の実施の形態においては、医療機関１の各診察室に設置された医療側コンピュータ１０毎に付加データの重畳印刷のための手段が設けられているものとしたが、医療機関１内にネットワークが構築され、各診察室毎の端末機を用いて医師が処方箋情報を入力すると、例えば会計部門等、事務処理を統括している部門に処方箋情報が送られて、そこに設置されたコンピュータによって付加データに変換し、これを処方箋用紙３に印刷するようにしてもよい。
【００３３】
【発明の効果】
本発明によると、付加コードを用いて、医療機関から調剤薬局に処方箋情報を送るので、調剤薬局内のコンピュータに簡単且つ正確に入力することができる。
【００３４】
しかも、処方箋情報に加えて、患者の健康保険証情報や薬歴、病歴等の個人情報も、医療機関から調剤薬局へ付加コードを介して送ることができる。
【００３５】
殊に、処方箋を薬局に持参する患者が視覚により入力痕を確認することができないので、不安を生じることがなく、また、他人によってプライバシーを侵害される心配もない。
【００３６】
更に、薬局側コンピュータに取り込んだ前記処方箋情報をそのままデータとして保管し、顧客管理をしたり、保険請求用書類の作成等のレセプト処理に利用することができる他、それらの情報を普通紙、薬袋、分包紙などに印刷することができ、加えて、薬局側コンピュータが薬剤の効能、副作用、注意事項などからなる薬剤情報を有しており、調剤薬局で、処方箋用紙に重畳して印刷された付加データを読み取ることによって薬局側コンピュータに取り込んだ処方箋情報を印刷する際に、薬剤情報の内で、前記処方箋情報に関連した事項を同時にまたは別途に印刷することもできる。
【図面の簡単な説明】
【図１】本発明の実施の形態を示すシステム概略図である。
【図２】本発明のシステムの利用方法を示すブロック図である。
【図３】本発明で発行される処方箋の例を示す正面図である。
【符号の説明】
１  医療機関、２  調剤薬局、３  処方箋用紙、４  画像、５  付加コード、１０  医療側コンピュータ、１１，２１  モニタ、１２，２２  入力装置、１３，２３  印刷装置、２０  薬局側コンピュータ、２４  リーダ
【図１】
2004199481.tif 000003
【図２】
2004199481.tif 000004
【図３】
2004199481.tif 000005